(57)【要約】【課題】複数の電源から宅内負荷へ電力を供給する電力供給システムにおいて、自立運転時の電源連携を促進すること。【解決手段】電力供給システムは、宅内負荷に接続される電力供給ノードと、系統と電力供給ノードとの間に接続された解列スイッチと、直流電源と、直流電源から出力される直流電力を交流電力に変換し、交流電力を電力供給ノードに出力するパワーコンディショナと、制御装置と、を備える。パワーコンディショナは、単独運転検出機能を備える。系統の停電時、制御装置は、解列スイッチをＯＦＦして系統と電力供給ノードとの間の電気的接続を切断し、また、解列通知信号をパワーコンディショナに出力する。パワーコンディショナは、解列通知信号を受け取った場合、単独運転検出機能を無効にする。【選択図】図１
2015220821.tif 000002
【特許請求の範囲】
【請求項１】
宅内負荷に接続される電力供給ノードと、
系統と前記電力供給ノードとの間に接続された解列スイッチと、
直流電源と、
前記直流電源から出力される直流電力を交流電力に変換し、前記交流電力を前記電力供給ノードに出力するパワーコンディショナと、
制御装置と
を備え、
前記パワーコンディショナは、単独運転を検出した場合に前記パワーコンディショナを前記電力供給ノードから電気的に切り離す単独運転検出機能を備え、
前記系統の停電時、前記制御装置は、前記解列スイッチをＯＦＦして前記系統と前記電力供給ノードとの間の電気的接続を切断し、また、解列通知信号を前記パワーコンディショナに出力し、
前記パワーコンディショナは、前記解列通知信号を受け取った場合、前記単独運転検出機能を無効にする
電力供給システム。
【請求項２】
前記制御装置は、前記解列スイッチをＯＦＦするタイミングと同時かその前に、前記解列通知信号を前記パワーコンディショナに出力する
請求項１に記載の電力供給システム。
【請求項３】
更に、
蓄電池と、
前記電力供給ノードと前記蓄電池との間に設けられ、前記蓄電池に対する充放電を制御する電力変換装置と
を備える
請求項１又は２に記載の電力供給システム。
【請求項４】
前記電力供給ノード、前記解列スイッチ、前記制御装置、及び前記電力変換装置を同一の筐体内に備える電力供給制御装置を更に備える
請求項３に記載の電力供給システム。
【請求項５】
前記電力供給制御装置は、前記蓄電池用のパワーコンディショナである
請求項４に記載の電力供給システム。
【請求項６】
前記直流電源は、太陽電池である
請求項１から５のいずれか一項に記載の電力供給システム。
【請求項７】
前記直流電源は、燃料電池である
請求項１から５のいずれか一項に記載の電力供給システム。
【請求項８】
複数の電源から宅内負荷への電力供給を制御する電力供給制御装置であって、
前記複数の電源は、
系統と、
直流電源と
を含み、
前記電力供給制御装置は、
前記宅内負荷に接続される電力供給ノードと、
前記系統と前記電力供給ノードとの間に接続された解列スイッチと、
制御装置と
を備え、
前記直流電源にはパワーコンディショナが接続され、
前記パワーコンディショナは、前記直流電源から出力される直流電力を交流電力に変換し、前記交流電力を前記電力供給ノードに出力し、更に、単独運転を検出した場合に前記パワーコンディショナを前記電力供給ノードから電気的に切り離す単独運転検出機能を備え、
前記系統の停電時、前記制御装置は、前記解列スイッチをＯＦＦして前記系統と前記電力供給ノードとの間の電気的接続を切断し、また、前記単独運転検出機能を無効にする解列通知信号を前記パワーコンディショナに出力する
電力供給制御装置。
【請求項９】
前記制御装置は、前記解列スイッチをＯＦＦするタイミングと同時かその前に、前記解列通知信号を前記パワーコンディショナに出力する
請求項８に記載の電力供給制御装置。
【請求項１０】
前記複数の電源は、更に、蓄電池を含み、
前記電力供給制御装置は、更に、前記電力供給ノードと前記蓄電池との間に設けられ、前記蓄電池に対する充放電を制御する電力変換装置を備える
請求項８又は９に記載の電力供給制御装置。
【発明の詳細な説明】
【技術分野】
【０００１】
本発明は、複数の電源から宅内負荷へ電力を供給する電力供給システム、及びその電力供給を制御する電力供給制御装置に関する。
【背景技術】
【０００２】
近年、住宅用の電力供給システムとして、複数の電源の連携により効率的な電力供給を図るものが普及しつつある。複数の電源としては、商用系統の他に、太陽電池、燃料電池、蓄電池といった分散電源が挙げられる。
【０００３】
分散電源を系統に接続するには、パワーコンディショナが必要である。例えば太陽電池用のパワーコンディショナは、太陽電池から出力される直流電力を交流電力に変換し、得られた交流電力を系統側に出力する。また、パワーコンディショナは、このような電力変換機能だけでなく、電力供給を制御するための様々な機能を搭載している。
【０００４】
パワーコンディショナに搭載される機能の１つとして、「単独運転検出機能」が知られている。系統の停電時、配電線が一時的に系統から切り離され、保守点検が行われる。しかし、分散電源のパワーコンディショナが動作したままであると、太陽電池から配電線に電力が供給されてしまう可能性がある。この状態は「単独運転」と呼ばれ、保守点検者にとって危険な状態である。そのため、パワーコンディショナは、系統側の電圧や周波数の情報に基づいて単独運転の検出処理を行い、また、単独運転を検出した場合には太陽電池やパワーコンディショナを系統側から電気的に切り離す（解列する）。このような保護機能が、単独運転検出機能である。
【０００５】
特許文献１は、運転モードを系統連系運転モードと自立運転モードとで切り替え可能な、太陽電池用パワーコンディショナを開示している。このパワーコンディショナは、自立運転用コンセントを備えている。系統の停電時、運転モードが自立運転モードに切り替えられると、パワーコンディショナは、開閉器を操作して系統からの切り離しを行う一方、交流電力を自立運転用コンセントに供給する。需要者は、自立運転用コンセントから電力を取得して、電気機器を動作させることができる。
【先行技術文献】
【特許文献】
【０００６】
【特許文献１】特開２０１０−２５９１７０号公報
【発明の概要】
【発明が解決しようとする課題】
【０００７】
上述の通り、系統の停電時、パワーコンディショナは、単独運転検出機能によって系統から解列する。特許文献１によれば、そのような場合であっても、自立運転モードにより、パワーコンディショナのコンセントから電力を取得することが可能である。しかしながら、近年、自立運転時にも複数の電源を連携させて効率的な電力供給を行うことへの期待が高まっている。
【０００８】
本発明の１つの目的は、複数の電源から宅内負荷へ電力を供給する電力供給システムにおいて、自立運転時の電源連携を促進することができる技術を提供することにある。
【課題を解決するための手段】
【０００９】
本発明の１つの観点において、電力供給システムが提供される。その電力供給システムは、宅内負荷に接続される電力供給ノードと、系統と電力供給ノードとの間に接続された解列スイッチと、直流電源と、直流電源から出力される直流電力を交流電力に変換し、交流電力を電力供給ノードに出力するパワーコンディショナと、制御装置と、を備える。パワーコンディショナは、単独運転を検出した場合にパワーコンディショナを電力供給ノードから電気的に切り離す単独運転検出機能を備える。系統の停電時、制御装置は、解列スイッチをＯＦＦして系統と電力供給ノードとの間の電気的接続を切断し、また、解列通知信号をパワーコンディショナに出力する。パワーコンディショナは、解列通知信号を受け取った場合、単独運転検出機能を無効にする。
【００１０】
本発明の他の観点において、複数の電源から宅内負荷への電力供給を制御する電力供給制御装置が提供される。複数の電源は、系統と、直流電源と、を含む。電力供給制御装置は、宅内負荷に接続される電力供給ノードと、系統と電力供給ノードとの間に接続された解列スイッチと、制御装置と、を備える。直流電源にはパワーコンディショナが接続される。パワーコンディショナは、直流電源から出力される直流電力を交流電力に変換し、交流電力を電力供給ノードに出力し、更に、単独運転を検出した場合にパワーコンディショナを電力供給ノードから電気的に切り離す単独運転検出機能を備える。系統の停電時、制御装置は、解列スイッチをＯＦＦして系統と電力供給ノードとの間の電気的接続を切断し、また、単独運転検出機能を無効にする解列通知信号をパワーコンディショナに出力する。
【発明の効果】
【００１１】
本発明によれば、複数の電源から宅内負荷へ電力を供給する電力供給システムにおいて、自立運転時の電源連携を促進することが可能となる。
【図面の簡単な説明】
【００１２】
【図１】図１は、本発明の実施の形態に係る電力供給システムの構成例を示すブロック図である。
【図２】図２は、本発明の実施の形態に係る電力供給システムの太陽光発電部の構成例を示すブロック図である。
【発明を実施するための形態】
【００１３】
添付図面を参照して、本発明の実施の形態を説明する。
【００１４】
実施の形態．
＜電力供給システム１００＞
図１は、本発明の実施の形態に係る電力供給システム１００の構成例を示すブロック図である。電力供給システム１００は、例えば住宅に設置され、電気機器等の宅内負荷１９に対して電力を供給する。特に、本実施の形態に係る電力供給システム１００は、複数の電源を備え、それら複数の電源の連携によって効率的な電力供給を実現する。
【００１５】
図１に示される構成例において、複数の電源は、系統１、太陽光発電部６、燃料電池発電部８、及び蓄電池１１を含んでいる。太陽光発電部６、燃料電池発電部８、及び蓄電池１１は、分散電源と呼ばれる場合もある。
【００１６】
系統１は、商用の電力系統である。
【００１７】
太陽光発電部６は、太陽光発電により得られる電力を供給するユニットである。より詳細には、太陽光発電部６は、太陽電池とパワーコンディショナを備えている。太陽電池は、太陽光発電により直流電力を生成、出力する直流電源である。パワーコンディショナは、太陽電池から得られる直流電力を、系統１の周波数及び電圧に応じた交流電力に変換する。
【００１８】
燃料電池発電部８は、燃料電池により得られる電力を供給するユニットである。より詳細には、燃料電池発電部８は、燃料電池とパワーコンディショナを備えている。燃料電池は、直流電力を生成、出力する直流電源である。パワーコンディショナは、燃料電池から得られる直流電力を、系統１の周波数及び電圧に応じた交流電力に変換する。
【００１９】
蓄電池１１は、例えば、電気自動車３０に搭載された蓄電池である。但し、蓄電池１１は、定置型の蓄電池であってもよい。
【００２０】
これら複数の電源から宅内負荷１９への電力供給を制御するための構成として、電力供給システム１００は「電力供給制御装置１０」を備えている。電力供給制御装置１０は、複数の電源（系統１、太陽光発電部６、燃料電池発電部８、及び蓄電池１１）と宅内負荷１９に接続され、それら複数の電源から宅内負荷１９への電力供給を制御する。言い換えれば、電力供給制御装置１０は、複数の電源の連携を制御する。
【００２１】
尚、図１に示される構成例において、住宅用の分電盤１８と電力供給制御装置１０との関係は次の通りである。
【００２２】
住宅用の分電盤１８は、複数の宅内負荷１９−１〜１９−ｋに対して電力を分配する。より詳細には、分電盤１８は、主幹ブレーカー２１と分岐ブレーカー２０−１〜２０−ｋを備えている。主幹ブレーカー２１の一次側は、電力量計２を介して系統１に接続されている。主幹ブレーカー２１の二次側は、電力供給制御装置１０を介して、分岐ブレーカー２０−１〜２０−ｋの一次側に接続されている。分岐ブレーカー２０−１〜２０−ｋのそれぞれの二次側には、複数の宅内負荷１９−１〜１９−ｋが接続されている。
【００２３】
このように、本実施の形態に係る電力供給制御装置１０は、分電盤１８の主幹ブレーカー２１の二次側と分岐ブレーカー２０の一次側との間に接続される。そして、電力供給制御装置１０は、分電盤１８の主幹ブレーカー２１を介して系統１から電力を受け取り、また、分電盤１８の分岐ブレーカー２０を介して宅内負荷１９に対して電力を供給する。
【００２４】
複数の電源の連携を制御する機能を搭載した電力供給制御装置１０が分電盤１８とは別の構成として用意されるため、既存の分電盤１８の構成を大きく変更する必要はない。既存の分電盤１８の主幹ブレーカー２１の二次側と分岐ブレーカー２０の一次側との間に電力供給制御装置１０を接続するだけで、本実施の形態に係る電力供給システム１００を容易に構築することが可能である。また、分電盤１８と電力供給制御装置１０との間の接続には２本の配線が用いられるだけであるため、複雑な施工は不要であり、誤配線の確率も極めて低い。
【００２５】
以下、本実施の形態に係る電力供給制御装置１０の構成をより詳細に説明する。
【００２６】
＜電力供給制御装置１０＞
電力供給制御装置１０は、系統接続端子Ｔ１、電力供給端子Ｔ２、ＰＶ接続端子Ｔ３、ＦＣ接続端子Ｔ４、及びＥＶ接続端子Ｔ５を備えている。これら端子は、電力供給制御装置１０の筐体１０ａに内設されている。
【００２７】
系統接続端子Ｔ１は、系統１に接続される。より詳細には、系統接続端子Ｔ１は、分電盤１８の主幹ブレーカー２１及び電力量計２を介して、系統１に接続される。電力供給制御装置１０は、系統１から供給される電力を、系統接続端子Ｔ１を通して受け取る。
【００２８】
電力供給端子Ｔ２は、宅内負荷１９に接続される。より詳細には、電力供給端子Ｔ２は、分電盤１８の分岐ブレーカー２０−１〜２０−ｋを介して、宅内負荷１９−１〜１９−ｋのそれぞれに接続される。電力供給制御装置１０は、宅内負荷１９に供給する電力を、電力供給端子Ｔ２から出力する。
【００２９】
ＰＶ接続端子Ｔ３は、太陽光発電部６と接続される。電力供給制御装置１０は、太陽光発電部６から供給される電力を、ＰＶ接続端子Ｔ３を通して受け取る。
【００３０】
ＦＣ接続端子Ｔ４は、燃料電池発電部８に接続される。電力供給制御装置１０は、燃料電池発電部８から供給される電力を、ＦＣ接続端子Ｔ４を通して受け取る。
【００３１】
ＥＶ接続端子Ｔ５は、蓄電池１１と接続される。電力供給制御装置１０は、ＥＶ接続端子Ｔ５を通して、蓄電池１１に対する充放電を行う。
【００３２】
更に、電力供給制御装置１０は、電磁開閉器５ａ，５ｂ、スイッチ７，９、双方向電力変換装置１２、漏電ブレーカー１３、制御装置１５、系統電圧監視部１６、解列指令部１７、変流器１４，２３，２４，２５、系統接続ノードＮ１、及び電力供給ノードＮ２，Ｎ３を備えている。これらの構成は、電力供給制御装置１０の筐体１０ａ内に収納されている。
【００３３】
制御装置１５は、電力供給制御装置１０の各構成の動作を制御する。制御装置１５による制御の詳細は後述される。
【００３４】
系統接続ノードＮ１は、上述の系統接続端子Ｔ１に接続されている。電力供給ノードＮ２，Ｎ３は共に、上述の電力供給端子Ｔ２に接続されている。系統１から系統接続端子Ｔ１に入力された電力は、それらノードＮ１，Ｎ２，Ｎ３を通して、電力供給端子Ｔ２から出力される。尚、電力供給ノードＮ２，Ｎ３のうち、電力供給ノードＮ２が系統接続端子Ｔ１側に配置され、電力供給ノードＮ３が電力供給端子Ｔ２側に配置されている。
【００３５】
電磁開閉器５ａ，５ｂ（解列スイッチ）は、解列用のスイッチである。すなわち、電磁開閉器５ａ，５ｂは、停電時に電力供給システム１００を系統１から切り離す（解列する）ために設けられている。そのために、電磁開閉器５ａ，５ｂは、系統接続ノードＮ１（系統接続端子Ｔ１）と電力供給ノードＮ２（電力供給端子Ｔ２）との間に直列に接続されている。尚、解列用に２個の電磁開閉器５ａ，５ｂを設けることは、系統連系規程による。電磁開閉器５ａ，５ｂは、制御装置１５及び解列指令部１７によってＯＮ／ＯＦＦ制御され、それにより、系統１からの電力供給をＯＮ／ＯＦＦする。
【００３６】
具体的には、通常動作時、電磁開閉器５ａ，５ｂは、ＯＮ状態（閉状態）に制御される。この場合、系統接続ノードＮ１と電力供給ノードＮ２とが電気的に接続され、系統１から電力供給ノードＮ２に電力が供給される。一方、系統１の停電時、電磁開閉器５ａ，５ｂは、ＯＦＦ状態（開状態）に制御される。この場合、系統接続ノードＮ１と電力供給ノードＮ２との間の電気的接続が切断され、系統１からの電力供給が遮断される。すなわち、電力供給システム１００が解列される。
【００３７】
スイッチ７は、太陽光発電部６からの電力供給をＯＮ／ＯＦＦするために設けられている。より詳細には、スイッチ７は、ＰＶ接続端子Ｔ３と電力供給ノードＮ２との間に接続されている。このスイッチ７は、制御装置１５よってＯＮ／ＯＦＦ制御され、それにより、太陽光発電部６からの電力供給をＯＮ／ＯＦＦする。尚、スイッチ７として、例えば電磁開閉器を用いることができる。また、保守点検時等において、太陽光発電部６を解列／並列するために、スイッチ７が手動でＯＦＦ／ＯＮされてもよい。
【００３８】
スイッチ９は、燃料電池発電部８からの電力供給をＯＮ／ＯＦＦするために設けられている。より詳細には、スイッチ９は、ＦＣ接続端子Ｔ４と電力供給ノードＮ３との間に接続されている。このスイッチ９は、制御装置１５によってＯＮ／ＯＦＦ制御され、それにより、燃料電池発電部８からの電力供給をＯＮ／ＯＦＦする。尚、スイッチ９として、例えば電磁開閉器を用いることができる。また、保守点検時等において、燃料電池発電部８を解列／並列するために、スイッチ９が手動でＯＦＦ／ＯＮされてもよい。
【００３９】
双方向電力変換装置１２は、制御装置１５からの指示に従い、蓄電池１１に対する充放電を制御する。より詳細には、双方向電力変換装置１２は、ＥＶ接続端子Ｔ５と電力供給ノードＮ３との間に接続されている。双方向電力変換装置１２は、電力供給ノードＮ３に入力された電力を変換して、蓄電池１１に充電する。また、双方向電力変換装置１２は、蓄電池１１から放電された電力を変換して、電力供給ノードＮ３に出力する。すなわち、本実施の形態に係る電力供給制御装置１０は、蓄電池１１用のパワーコンディショナを兼ねている。
【００４０】
漏電ブレーカー１３は、双方向電力変換装置１２と電力供給ノードＮ３との間に設けられている。
【００４１】
系統電圧監視部１６は、系統１の電圧を監視するために、系統接続ノードＮ１の電圧を検出する。系統電圧監視部１６は、検出した系統接続ノードＮ１の電圧を示す信号を、制御装置１５に出力する。制御装置１５は、系統電圧監視部１６から受け取る信号に基づいて、系統１の停電を検出することができる。
【００４２】
解列指令部１７は、制御装置１５からの指示に従い、電磁開閉器５ａ，５ｂをＯＮ／ＯＦＦ制御する。例えば、制御装置１５は、系統１の停電を検出すると、解列指令部１７に指示し、電磁開閉器５ａ，５ｂをＯＦＦ状態（開状態）にさせる。
【００４３】
変流器２３は、系統接続ノードＮ１と電力供給ノードＮ２との間を流れる電流を検出する電流センサである。変流器２３は、検出した電流を示す信号を、制御装置１５に出力する。制御装置１５は、変流器２３から受け取る信号に基づいて、系統１からの買電電力、あるいは、太陽光発電部６による余剰発電分である売電電力を算出することができる。
【００４４】
変流器２４は、スイッチ７から電力供給ノードＮ２へ流れる電流を検出する電流センサである。変流器２４は、検出した電流を示す信号を、制御装置１５に出力する。制御装置１５は、変流器２４から受け取る信号に基づいて、太陽光発電部６による発電電力を算出することができる。
【００４５】
変流器２５は、スイッチ９から電力供給ノードＮ３へ流れる電流を検出する電流センサである。変流器２５は、検出した電流を示す信号を、制御装置１５に出力する。制御装置１５は、変流器２５から受け取る信号に基づいて、燃料電池発電部８による発電電力を算出することができる。
【００４６】
変流器１４は、電力供給ノードＮ２，Ｎ３間を流れる電流を検出する電流センサである。変流器１４は、検出した電流を示す信号を、制御装置１５に出力する。制御装置１５は、変流器１４から受け取る信号に基づいて、燃料電池発電部８や蓄電池１１から系統１への逆潮流を検出することができる。そのような逆潮流を検出した場合、制御装置１５は、逆潮流が無くなるように、スイッチ９や双方向電力変換装置１２を制御する。例えば、制御装置１５は、双方向電力変換装置１２を制御して、蓄電池１１からの放電電力を低下させる。
【００４７】
＜太陽光発電部６＞
図２は、本実施の形態に係る太陽光発電部６の構成例を示すブロック図である。太陽光発電部６は、太陽電池６０及びパワーコンディショナ６１を備えている。太陽電池６０は、太陽光発電により直流電力を生成、出力する直流電源である。
【００４８】
パワーコンディショナ６１は、太陽電池６０の出力端子と電力供給制御装置１０のＰＶ接続端子Ｔ３との間に接続されている。パワーコンディショナ６１は、太陽電池６０から出力される直流電力を交流電力に変換し、その交流電力をＰＶ接続端子Ｔ３を通して電力供給制御装置１０の電力供給ノードＮ２，Ｎ３に供給する。より詳細には、パワーコンディショナ６１は、インバータ６２、電磁開閉器６３、計測回路６４、及び制御装置６５を備えている。
【００４９】
インバータ６２は、太陽電池６０から出力される直流電力を交流電力に変換して、交流電力を出力する。電磁開閉器６３は、インバータ６２の出力端子とＰＶ接続端子Ｔ３との間に接続されており、インバータ６２の出力端子とＰＶ接続端子Ｔ３との間の電気的接続をＯＮ／ＯＦＦする。計測回路６４は、ＰＶ接続端子Ｔ３の電圧やその周波数を計測し、計測した電圧や周波数に関する情報を制御装置６５に出力する。制御装置６５は、計測回路６４から受け取る情報に基づいて、インバータ６２の動作を適宜制御することによって、出力電力量を調整する。
【００５０】
更に、制御装置６５は、単独運転検出機能６６を備えている。単独運転検出機能６６は、計測回路６４から受け取る情報に基づいて、周知の方法によって単独運転の検出処理を行う。単独運転を検出した場合、単独運転検出機能６６は、電磁開閉器６３をＯＦＦ状態（開状態）に制御することによって、太陽電池６０やパワーコンディショナ６１をＰＶ接続端子Ｔ３（電力供給ノードＮ２，Ｎ３）から電気的に切り離す。すなわち、単独運転検出機能６６は、単独運転を検出すると、太陽電池６０やパワーコンディショナ６１を解列する。また、単独運転検出機能６６は、インバータ６２の動作を停止させてもよい。
【００５１】
尚、燃料電池発電部８も、図２で示された構成と同様の構成を有する。つまり、燃料電池発電部８は、直流電源としての燃料電池と、燃料電池から出力される直流電力を交流電力に変換するパワーコンディショナと、を備える。更に、パワーコンディショナは、単独運転検出機能を備える。
【００５２】
＜通常動作＞
次に、図１を参照して、系統１が停電していない場合の電力供給システム１００の動作を説明する。分電盤１８において、主幹ブレーカー２１と分岐ブレーカー２０−１〜２０−ｋは全てＯＮ状態（閉状態）にある。
【００５３】
電力供給制御装置１０において、制御装置１５は、解列指令部１７を通して、電磁開閉器５ａ，５ｂをＯＮ（閉状態）にする。また、制御装置１５は、スイッチ７をＯＮする。これにより、電力供給制御装置１０は、系統１や太陽光発電部６からの電力を宅内負荷１９−１〜１９−ｋに供給する。尚、太陽光発電部６による発電電力が宅内負荷１９−１〜１９−ｋによる消費電力を上回った場合、その余剰電力が系統１に逆潮流する。
【００５４】
また、制御装置１５は、必要に応じて、スイッチ９をＯＮし、燃料電池発電部８による発電電力を宅内負荷１９−１〜１９−ｋに供給する。
【００５５】
また、制御装置１５は、双方向電力変換装置１２を制御し、必要に応じて、蓄電池１１に対する充放電を行う。例えば、宅内負荷１９−１〜１９−ｋによる消費電力に対して太陽光発電部６による発電電力が不足している場合、制御装置１５は、蓄電池１１から放電させてもよい。また、太陽光発電部６による発電電力が宅内負荷１９−１〜１９−ｋによる消費電力を上回った場合、制御装置１５は、その余剰電力を蓄電池１１に充電してもよい。また、電気料金の安い夜間、制御装置１５は、系統１から供給される電力を蓄電池１１に充電してもよい。
【００５６】
尚、制御装置１５は、スイッチや双方向電力変換装置１２を適宜制御することによって、燃料電池発電部８や蓄電池１１から系統１への逆潮流を防止する。
【００５７】
＜自立運転動作＞
次に、系統１が停電し、電力供給制御装置１０が自立運転を行う場合を説明する。
【００５８】
制御装置１５は、系統電圧監視部１６から受け取る信号に基づいて、系統１の停電を検出する。停電を検出すると、制御装置１５は、解列指令部１７に指示し、電磁開閉器５ａ，５ｂ（解列スイッチ）をＯＦＦ状態（開状態）にさせる。これにより、系統１と電力供給ノードＮ２，Ｎ３との間の電気的接続が切断され、系統１からの電力供給が遮断される。すなわち、系統１から電力供給システム１００が解列される。
【００５９】
このように、本実施の形態によれば、電力供給制御装置１０によって、電力供給ノードＮ２，Ｎ３が系統１から電気的に切り離される。従って、更に太陽光発電部６や燃料電池発電部８を電力供給ノードＮ２，Ｎ３から電気的に切り離す（解列する）必要はない。むしろ、それら太陽光発電部６や燃料電池発電部８を有効に活用するために、制御装置１５が、上述の単独運転検出機能による解列を防止する。そのために、本実施の形態によれば、制御装置１５は、太陽光発電部６や燃料電池発電部８が備える上述の単独運転検出機能を自動的に“無効”にする（disable,  deactivate）。
【００６０】
より詳細には、図１に示されるように、制御装置１５は、解列通知部４０を備えている。この解列通知部４０は、系統１からの解列を通知する「解列通知信号ＰＡＲ」を、太陽光発電部６や燃料電池発電部８のパワーコンディショナに出力する。図２に示されるように、パワーコンディショナ６１の制御装置６５は、その解列通知信号ＰＡＲを受け取る。解列通知信号ＰＡＲを受け取った場合、パワーコンディショナ６１の制御装置６５は、単独運転検出機能６６を自動的に“無効”にする。その結果、単独運転検出機能６６は働かず、太陽光発電部６の解列が防止される。解列通知信号ＰＡＲは、単独運転検出機能６６を無効にする信号であると言える。燃料電池発電部８の場合も同様である。
【００６１】
尚、制御装置１５は、電磁開閉器５ａ，５ｂ（解列スイッチ）をＯＦＦするタイミングと同時かその前に、解列通知信号ＰＡＲを出力することが望ましい。この場合、太陽光発電部６や燃料電池発電部８の解列をより確実に防止することが可能となる。
【００６２】
以上に説明されたように、本実施の形態によれば、系統１の停電時に、電力供給ノードＮ２，Ｎ３が系統１から電気的に切り離される一方、電力供給ノードＮ２，Ｎ３につながる分散電源の単独運転検出機能が自動的に無効化される。これにより、それら分散電源の解列が防止される。すなわち、自立運転時、単独運転検出機能によって制限を受けることなく、分散電源を有効に活用することが可能となる。このことは、自立運転時の分散電源の連携を促進する観点から好適である。
【００６３】
以上、本発明の実施の形態が添付の図面を参照することにより説明された。但し、本発明は、上述の実施の形態に限定されず、要旨を逸脱しない範囲で当業者により適宜変更され得る。
【符号の説明】
【００６４】
１  系統、２  電力量計、５ａ，５ｂ  電磁開閉器、６  太陽光発電部、７  スイッチ、８  燃料電池発電部、９  スイッチ、１０  電力供給制御装置（パワーコンディショナ）、１０ａ  筐体、１１  蓄電池、１２  双方向電力変換装置、１３  漏電ブレーカー、１４  変流器、１５  制御装置、１６  系統電圧監視部、１７  解列指令部、１８  分電盤、１９，１９−１〜１９−ｋ  宅内負荷、２０，２０−１〜２０−ｋ  分岐ブレーカー、２１  主幹ブレーカー、２３  変流器、２４  変流器、２５  変流器、３０  電気自動車、４０  解列通知部、６０  太陽電池、６１  パワーコンディショナ、６２  インバータ、６３  電磁開閉器、６４  計測回路、６５  制御装置、６６  単独運転検出機能、１００  電力供給システム、Ｎ１  系統接続ノード、Ｎ２，Ｎ３  電力供給ノード、ＰＡＲ  解列通知信号、Ｔ１  系統接続端子、Ｔ２  電力供給端子、Ｔ３  ＰＶ接続端子、Ｔ４  ＦＣ接続端子、Ｔ５  ＥＶ接続端子。
【図１】
2015220821.tif 000003
【図２】
2015220821.tif 000004